(57)【要約】【課題】天井に設けられた点検口から容易に搬入または搬出することができ、作業者の負担を軽減することができるドレンパンを得る。【解決手段】底部４ａと側壁２ａにより形成された受水領域を有する第１の分割部Ａと、底部４ｂと側壁２ｂにより形成された受水領域を有する第２の分割部Ｂと、第１の分割部Ａと第２の分割部Ｂのいずれかに形成され、水を外部に排出する排出口６と、第１の分割部Ａと第２の分割部Ｂを着脱可能に連結するとともに、水路を形成する連結部８とを備える。【選択図】図３
2017166772.tif 000002
【特許請求の範囲】
【請求項１】
底部と側壁により形成された受水領域を有する複数の分割部と、
前記複数の分割部のうちのいずれかに形成され、水を外部に排出する排出口と、
前記複数の分割部のうち、隣接する分割部をそれぞれ着脱可能に連結するとともに、前記隣接する分割部間の水路を形成する連結部と
を備えたことを特徴とするドレンパン。
【請求項２】
前記複数の分割部は、２つまたは３つであることを特徴とする請求項１記載のドレンパン。
【請求項３】
前記連結部は、ボルトとナットを備え、前記ボルトは中空状に形成されたことを特徴とする請求項１記載のドレンパン。
【請求項４】
前記連結部は、シールワッシャを備えたことを特徴とする請求項３記載のドレンパン。
【請求項５】
前記複数の分割部のうち、任意の分割部の設置面側に架台が形成されたことを特徴とする請求項１から請求項４のうちのいずれか１項記載のドレンパン。
【請求項６】
前記架台の設置面側に振動防止部材が取り付けられたことを特徴とする請求項５記載のドレンパン。
【発明の詳細な説明】
【技術分野】
【０００１】
この発明は、空気調和機（室内機）から落下した水滴を受け止めるドレンパンに関するものである。
【背景技術】
【０００２】
特許文献１には、室内機に取り付けられたドレンパンが開示されている。ドレンパンは、室内機から落下した水滴を受け止め、溜まった水を排出口から外部に排出する。室内機は送風機や熱交換器等を備えるため大型のものが多く、それに伴いドレンパンもサイズの大きなものが使用される。
【０００３】
特許文献１に代表される従来のドレンパン１０１を図１に示す。ドレンパン１０１は、側壁１０２、底部１０３、排出口１０４等を備えて構成される。
図２は、室内機Ｓおよびドレンパン１０１を建物の天井裏の空間内に設置した状態を示す図である。室内機Ｓに故障等が発生した場合、その交換作業は天井に設けられた点検口Ｔを介して行われる。
【先行技術文献】
【特許文献】
【０００４】
【特許文献１】特開平１０−３１１５５４号公報
【発明の概要】
【発明が解決しようとする課題】
【０００５】
点検口Ｔは、室内の意匠性確保の観点から開口が小さく形成されている（例えば４５０ｍｍ×４５０ｍｍ）。そのため、部品ごとに分解することができる室内機Ｓは点検口Ｔから搬出できるものの、ドレンパン１０１は切断しなければ点検口Ｔから搬出することができなかった。また、天井裏の空間は狭いため、ドレンパン１０１を切断する作業は、作業者にとって大きな負担となっていた。また、新たなドレンパン１０１を点検口Ｔから搬入することができなかった。
【０００６】
この発明は、上記のような課題を解決するためになされたもので、天井に設けられた点検口からの搬入または搬出が容易であり、作業者の負担を軽減することができるドレンパンを得ることを目的とする。
【課題を解決するための手段】
【０００７】
この発明に係るドレンパンは、底部と側壁により形成された受水領域を有する複数の分割部と、複数の分割部のうちのいずれかに形成され、水を外部に排出する排出口と、複数の分割部のうち、隣接する分割部をそれぞれ着脱可能に連結するとともに、隣接する分割部間の水路を形成する連結部とを備えるものである。
【発明の効果】
【０００８】
この発明に係るドレンパンによれば、天井に設けられた点検口からの搬入または搬出が容易であり、作業者の負担を軽減することができる。
【図面の簡単な説明】
【０００９】
【図１】従来のドレンパンを示す斜視図である。
【図２】室内機およびドレンパンを建物の天井裏の空間内に設置した状態を示す図である。
【図３】実施の形態１に係るドレンパンの斜視図である。
【図４】実施の形態１に係るドレンパンの連結前の斜視図である。
【図５】実施の形態１に係るドレンパンの連結部を示す図（上面図）である。
【図６】実施の形態１に係るドレンパンの連結部にシールワッシャを取り付けた図（上面図）である。
【図７】実施の形態１に係るドレンパンに架台を設けた図（斜視図）である。
【図８】実施の形態１に係るドレンパンに架台を設け、架台に振動防止部材を取り付けた図（側面図）である。
【図９】実施の形態２に係るドレンパンの第３の分割部の斜視図である。
【図１０】実施の形態２に係るドレンパンの斜視図である。
【図１１】図１１Ａは、実施の形態３に係るドレンパンの斜視図である。図１１Ｂは、実施の形態３に係るドレンパンの別の構成例を示す斜視図である。
【発明を実施するための形態】
【００１０】
以下、この発明の実施の形態について図面を参照しながら詳細に説明する。
実施の形態１．
図３は、実施の形態１に係るドレンパン１の斜視図である。
実施の形態１に係るドレンパン１は、図３に示すように、第１の分割部Ａおよび第２の分割部Ｂにより構成される。
【００１１】
第１の分割部Ａは、底部４ａと、底部４ａの外周に沿って立設された側壁２ａを備える。底部４ａと側壁２ａにより、水滴を受け止める領域（受水領域）が形成される。図３に示すように、第１の分割部Ａは、直方体において、室内機搭載側の面を開口とした受け皿状に形成される。また、底部４ａには搭載部５ａが立設され、搭載部５ａは室内機を搭載するための平面部を有する。
【００１２】
第２の分割部Ｂは、側壁２ｂ、底部４ｂ、搭載部５ｂ、排出口６を備える。排出口６を除く各構成は、上記第１の分割部Ａと同様であるため、説明を省略する。
排出口６は、側壁２ｂに形成された貫通穴であり、受水領域に溜まった水を外部に排出する。図３では、ドレン配管が接続可能な円筒状の排出口６を示したが、これに限定されるものではなく、形状は任意でよい。また、排出口６を側壁２ｂに形成するものを示したが、これに限定されるものではなく、側壁２ａに形成してもよい。また、排出口６を底部４ａ，４ｂに形成してもよい。
【００１３】
第１の分割部Ａおよび第２の分割部Ｂは、天井に設けられる一般的な点検口を通過させることが可能な３５０ｍｍ×４２０ｍｍの大きさで構成する。ただし、大きさはこれに限定されるものではなく、点検口の大きさに合わせて適宜構成すればよい。また、第１の分割部Ａおよび第２の分割部Ｂをそれぞれ異なる大きさで構成してもよい。また、図３では長方形の第１の分割部Ａおよび第２の分割部Ｂを示したが、これに限定されるものではなく、連結可能な側壁２ａ，２ｂを有していれば、形状は任意でよい。
【００１４】
連結部８は、第１の分割部Ａと第２の分割部Ｂを連結する。
図４は、第１の分割部Ａと第２の分割部Ｂの連結前の状態を示す斜視図である。連結面となる側壁２ａ，２ｂは、連結用の孔３ａ，３ｂを有する。
連結部８には隔壁ニップルを用いる。図５に示すように、隔壁ニップルはナット８ａとボルト８ｂにより構成される。また、ボルト８ｂは内部が中空状に形成されている。
連結部８は、隣接する第１の分割部Ａと第２の分割部Ｂを着脱可能に連結するとともに、第１の分割部Ａと第２の分割部Ｂの間の水路を形成する。
【００１５】
次に、第１の分割部Ａと第２の分割部Ｂを連結部８により連結する手順について説明する。
まず、図４に示す状態において、孔３ａと孔３ｂの位置を互いに合わる。
次いで、図５に示すように、孔３ａ、３ｂを介して、連結面となる側壁２ａ、２ｂを挟み込むようにナット８ａとボルト８ｂを螺合させ、締め付ける。
これにより、第１の分割部Ａと第２の分割部Ｂが連結部８により連結される。
【００１６】
第１の分割部Ａと第２の分割部Ｂが連結された状態において、排出口６が形成されていない分割部の受水領域に溜まった水は、連結部８のボルト８ｂの内部を通過して、排出口６が形成された分割部の受水領域に移動する。
【００１７】
連結された状態から分割する際は、ナット８ａまたはボルト８ｂを締め付け方向と逆方向に回転させ、連結を解除する。なお、図５では、連結部８として隔壁ニップルを用いるものを示したが、これに限定されるものではなく、第１の分割部Ａと第２の分割部Ｂを着脱可能に連結でき、かつ、水路の形成が可能な部品であればよい。また、図３では、連結部８を３箇所に設ける場合を示したが、これに限定されるものではなく、連結部８を設ける数は、連結の強度、水の排出能力等を考慮して、適宜設定すればよい。
【００１８】
図６は、図５の連結部８において、シールワッシャ８ｃを取り付けた状態を示す図である。シールワッシャ８ｃを、ナット８ａと側壁２ａの間、およびボルト８ｂと側壁２ｂの間に取り付けることにより、ナット８ａと側壁２ａの間、およびボルト８ｂと側壁２ｂの間に生じた僅かな隙間に水が浸入し、孔３ａ、３ｂを介して水が外部に漏れるのを防止することができる。
【００１９】
図７は、第１の分割部Ａの設置面側に架台７ａ、第２の分割部Ｂの設置面側に架台７ｂを設けた状態を示す図である。架台７ａ、７ｂをドレンパン１の設置面側に形成することにより、床面との接触面積を低減することができる。このため、室内機のファンの回転による振動が床面に伝わり、床面が振動するのを抑制することができる。なお、図７では、架台７ａ、７ｂを計４箇所に設けたが、これに限定されるものではなく、架台７ａ、７ｂを設ける数は、設置場所のスペース、室内機のサイズ等に合わせて適宜設定すればよい。
【００２０】
図８は、図７に示した架台７ａ，７ｂの設置面側に振動防止部材９を取り付けた状態を示す図である。振動防止部材９には防振ゴムを用いる。架台７ａ，７ｂに防振ゴムを取り付けた場合、室内機のファンの回転による振動は防振ゴムにより吸収され、床面に伝わらない。このため、振動が床面に伝わるのをより確実に防ぐことができる。なお、振動防止部材９として防振ゴムを用いるものを示したが、これに限定されるものではなく、振動を吸収することができる部材であればよい。
【００２１】
以上のように、実施の形態１に係るドレンパン１によれば、底部４ａと側壁２ａにより形成された受水領域を有する第１の分割部Ａと、底部４ｂと側壁２ｂにより形成された受水領域を有する第２の分割部Ｂと、第１の分割部Ａと第２の分割部Ｂのいずれかに形成され、水を外部に排出する排出口６と、第１の分割部Ａと第２の分割部Ｂを着脱可能に連結するとともに、水路を形成する連結部８とを備えるように構成したので、天井に設けられた点検口からの搬入または搬出が容易であり、作業者の負担を軽減することができる。
【００２２】
実施の形態２．
実施の形態１では、第１の分割部Ａおよび第２の分割部Ｂによりドレンパン１を構成したが、実施の形態２では、第１の分割部Ａ、第２の分割部Ｂおよび第３の分割部Ｃによりドレンパン１ａを構成する。
【００２３】
第１の分割部Ａおよび第２の分割部Ｂは実施の形態１と同様の構成であるため、重複する説明を省略する。
図９は、第３の分割部Ｃの斜視図である。図９に示すように、第３の分割部Ｃは、側壁２ｃに形成された孔３ｃを有する。第３の分割部Ｃの孔３ｃは、第１の分割部Ａとの連結面となる側壁２ｃ、および第２の分割部Ｂとの連結面となる側壁２ｃに形成される。
【００２４】
図１０は、実施の形態２に係るドレンパン１ａの斜視図である。
図１０に示すように、隣接する第１の分割部Ａと第３の分割部Ｃ、および隣接する第２の分割部Ｂと第３の分割部Ｃは、それぞれ連結部８により着脱可能に連結される。また、各連結部８により隣接する分割部間の水路が形成される。
【００２５】
第１の分割部Ａ、第２の分割部Ｂおよび第３の分割部Ｃは、天井に設けられる一般的な点検口を通過させることが可能な３５０ｍｍ×３００ｍｍの大きさで構成する。ただし、大きさはこれに限定されるものではなく、点検口の大きさに合わせて適宜構成すればよい。また、第１の分割部Ａ、第２の分割部Ｂおよび第３の分割部Ｃをそれぞれ異なる大きさで構成してもよい。また、図１０では長方形の第１の分割部Ａ、第２の分割部Ｂおよび第３の分割部Ｃを示したが、これに限定されるものではなく、連結可能な側壁２ａ，２ｂ，２ｃを有していれば、形状は任意でよい。
【００２６】
また、図１０では、排出口６を側壁２ｂに形成したが、これに限定されるものではなく、排出口６は側壁２ａ，２ｃおよび底部４ａ，４ｂ，４ｃのうちの任意の箇所に形成すればよい。また、排出口６を複数設けてもよい。また、底部４ｃに室内機を搭載するための搭載部（不図示）を設けてもよい。また、第１の分割部Ａ、第２の分割部Ｂおよび第３の分割部Ｃのうち、任意の分割部の設置面側に架台（不図示）を設けてもよく、さらに架台の設置面側に振動防止部材を取り付けてもよい。
【００２７】
以上のように、実施の形態２に係るドレンパン１ａによれば、底部４ａと側壁２ａにより形成された受水領域を有する第１の分割部Ａと、底部４ｂと側壁２ｂにより形成された受水領域を有する第２の分割部Ｂと、底部４ｃと側壁２ｃにより形成された受水領域を有する第３の分割部Ｃと、第１の分割部Ａ、第２の分割部Ｂ、第３の分割部Ｃのうちのいずれかに形成され、水を外部に排出する排出口６と、第１の分割部Ａ、第２の分割部Ｂおよび第３の分割部Ｃのうち、隣接する分割部をそれぞれ着脱可能に連結するとともに、隣接する分割部間の水路を形成する連結部８とを備えるように構成した。これにより、各分割部当たりの大きさをより小さく構成することができるため、天井に設けられた点検口からの搬入または搬出がより容易となり、作業者の負担を軽減することができる。
【００２８】
実施の形態３．
実施の形態２では、第１の分割部Ａ、第２の分割部Ｂおよび第３の分割部Ｃによりドレンパン１ａを構成したが、実施の形態３では、さらに分割部の数を増やし、ドレンパン１ｂを構成する。
【００２９】
各分割部の構成は実施の形態１，２と同様であるため、重複する説明を省略する。
図１１Ａは、実施の形態３に係るドレンパン１ｂを４分割可能に構成した例を示す斜視図である。図１１Ａに示す構成は、実施の形態２に係るドレンパン１ａにおいて、第３の分割部Ｃを１つ追加した構成に相当する。
また、図１１Ｂは、実施の形態３に係るドレンパン１ｂを４分割可能に構成した別の例を示す斜視図である。図１１Ａでは各分割部の連結方向を一方向としたが、これに限定されるものではなく、図１１Ｂに示すように、各分割部の側壁を連結面とし、分割部を任意の方向に連結してもよい。
実施の形態１，２と同様、連結部８は、隣接する分割部をそれぞれ着脱可能に連結するとともに、隣接する分割部間の水路を形成する。
また、図１１Ａおよび図１１Ｂでは、４分割可能に構成したドレンパン１ｂを示したが、分割数はこれに限定されるものではなく、４分割以上可能に構成してもよい。
【００３０】
以上のように、実施の形態３に係るドレンパン１ｂによれば、底部と側壁により形成された受水領域を有する複数の分割部と、複数の分割部のうちのいずれかに形成され、水を外部に排出する排出口６と、複数の分割部のうち、隣接する分割部をそれぞれ着脱可能に連結するとともに、隣接する分割部間の水路を形成する連結部８とを備えるように構成した。これにより、各分割部当たりの大きさをより小さく構成することができるため、天井に設けられた点検口からの搬入または搬出がより容易となり、作業者の負担をさらに軽減することができる。
【００３１】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３２】
１，１ａ，１ｂ  ドレンパン
２ａ，２ｂ，２ｃ  側壁
３ａ，３ｂ，３ｃ  孔
４ａ，４ｂ，４ｃ  底部
５ａ，５ｂ  搭載部
６  排出口
７ａ，７ｂ  架台
８  連結部
８ａ  ナット
８ｂ  ボルト
８ｃ  シールワッシャ
９  振動防止部材
【図１】
2017166772.tif 000003
【図２】
2017166772.tif 000004
【図３】
2017166772.tif 000005
【図４】
2017166772.tif 000006
【図５】
2017166772.tif 000007
【図６】
2017166772.tif 000008
【図７】
2017166772.tif 000009
【図８】
2017166772.tif 000010
【図９】
2017166772.tif 000011
【図１０】
2017166772.tif 000012
【図１１】
2017166772.tif 000013